(57)【要約】【課題】シューズ用のソール、特にスポーツシューズ用のソール、およびそのようなソールを備えるシューズを提供すること。【解決手段】本発明の一態様によれば、緩衝要素と保護要素とを備えるシューズ用のソール、特にスポーツシューズ用のソールが提供される。ここで、ソールは、第１の部分領域と第２の部分領域とを備え、緩衝要素は、第１の部分領域において第２の部分領域よりも高い剛性を有し、ソールで地面に着地したとき、保護要素は、第１の部分領域において第２の部分領域よりも地面との大きな接触面積を備える。【選択図】図１ａ
2019115823.tif 000002
【特許請求の範囲】
【請求項１】
シューズ用のソールであって、
ａ．緩衝要素と、
ｂ．保護要素とを備え、
ｃ．ソールが、第１の部分領域と、第２の部分領域とを備え、
ｄ．前記緩衝要素が、前記第１の部分領域において前記第２の部分領域よりも高い剛性
を有し、
ｅ．ソールで地面に着地したとき、前記保護要素が、前記第１の部分領域において前記
第２の部分領域よりも地面との大きな接触面積を有する、
ソール。
【請求項２】
前記保護要素が、前記緩衝要素の下に、かつ前記緩衝要素に直接、配置される、請求項
１に記載のソール。
【請求項３】
前記緩衝要素が、ミッドソールとして、またはミッドソールの一部として提供される、
請求項１または２に記載のソール。
【請求項４】
前記保護要素が、アウトソールとして、またはアウトソールの一部として提供される、
請求項１から３のいずれか一項に記載のソール。
【請求項５】
前記緩衝要素が、前記第１の部分領域において前記第２の部分領域よりも大きい密度を
有する、請求項１から４のいずれか一項に記載のソール。
【請求項６】
前記緩衝要素が、発泡材のランダム配向粒子を備える、請求項１から５のいずれか一項
に記載のソール。
【請求項７】
前記緩衝要素が、さらに補強要素を備える、請求項１から６のいずれか一項に記載のソ
ール。
【請求項８】
前記補強要素が、前記ソールの前記第１の部分領域内と、前記ソールの前記第２の部分
領域内との両方に延びる、請求項７に記載のソール。
【請求項９】
前記保護要素が、前記第１の部分領域において前記第２の部分領域よりも変形し難い、
請求項１から８のいずれか一項に記載のソール。
【請求項１０】
前記保護要素が、複数の開口および／またはより薄い材料の領域を前記第２の部分領域
に備える、請求項１から９のいずれか一項に記載のソール。
【請求項１１】
前記保護要素が、複数の開口および／またはより薄い材料の領域を前記第１の部分領域
にも備え、平均して、前記第２の部分領域における前記開口および／またはより薄い材料
の領域が、前記第１の部分領域における前記開口および／またはより薄い材料の領域より
も大きい面積を占める、請求項１０に記載のソール。
【請求項１２】
前記保護要素が、前記第１の部分領域に、平坦化された表面を備える複数の第１の突起
を備える、請求項１から１１のいずれか一項に記載のソール。
【請求項１３】
前記保護要素が、前記第２の部分領域に複数の第２の突起を備え、前記第２の突起が、
前記ソールで地面に着地したときに、前記緩衝要素に少なくとも部分的に貫入する、請求
項１から１２のいずれか一項に記載のソール。
【請求項１４】
前記第１の部分領域が、前記ソールの中央側に延びる、請求項１から１３のいずれか一
項に記載のソール。
【請求項１５】
前記第２の部分領域が、前記ソールの側方側に延びる、請求項１から１４のいずれか一
項に記載のソール。
【請求項１６】
請求項１から１５のいずれか一項に記載のソールを備える、シューズ。
【発明の詳細な説明】
【技術分野】
【０００１】
本発明は、シューズ、特にスポーツシューズ用のソール、およびそのようなソールを備
えるシューズに関する。
【背景技術】
【０００２】
シューズソールの設計は、シューズの種類に応じて様々な度合いで開発することができ
る複数の異なる特性をシューズに提供することを可能にする。
【０００３】
まず、シューズソールは、典型的には保護機能を備える。シューズソールは、シューズ
シャフトに比べて高いその硬度によって、例えば着用者が踏みつけることがある尖った物
体によって引き起こされる怪我から足を保護する。さらに、シューズソールは、典型的に
は、より高い耐耗性によって、過度の使用からシューズを保護する。さらに、シューズソ
ールは、各地面でのシューズのグリップ性を高め、それにより、より速い動きを容易にす
ることができる。これらの機能は、例えばアウトソールによって提供することができる。
【０００４】
シューズソールのさらなる機能は、歩行周期中に、ある程度の安定性を足に提供するこ
とであり得る。さらに、シューズソールは、例えば地面とのシューズの衝突中に作用する
力を吸収する緩衝効果を有することができ、ここで、ソールの変形のために費やされるエ
ネルギーが着用者の足に少なくとも一部戻され、それにより失われない場合には有利であ
る。これらの機能は、例えばミッドソールによって提供することができる。
【０００５】
このために、例えば、ドイツ特許出願公開第１０  ２０１２  ２０６  ０９４  Ａ１号
および欧州特許出願公開第２  ６４９  ８９６  Ａ２号に、シューズソールおよびそれら
の製造のための方法が記載されており、それらのシューズソールは、発泡材、特に発泡熱
可塑性ポリウレタン（ｅＴＰＵ）のランダム配向粒子を備え、着用者の足への特定の高い
エネルギーリターンによって特徴付けられる。さらに、国際公開第２００５／０６６２５
０  Ａ１号は、シューズシャフトが発泡熱可塑性ウレタンベースのソールと接着接続され
る、シューズの製造方法を述べている。
【０００６】
しかし、従来のソールの欠点は、それらがしばしばミッドソールまたはアウトソールを
備えるが、一様に設計されており、歩行周期の様々な段階中にソールおよび着用者の筋骨
格系に作用する様々な負荷に適切には適合しないことである。
【先行技術文献】
【特許文献】
【０００７】
【特許文献１】ドイツ特許出願公開第１０  ２０１２  ２０６  ０９４  Ａ１号
【特許文献２】欧州特許出願公開第２  ６４９  ８９６  Ａ２号
【特許文献３】国際公開第２００５／０６６２５０  Ａ１号
【発明の概要】
【発明が解決しようとする課題】
【０００８】
したがって、従来技術を元に、本発明の目的は、歩行周期中に生じ、ソールおよび着用
者の筋骨格系に作用する負荷により適切に適合される、改良されたシューズ用のソール、
特にスポーツシューズ用のソールを提供することである。
【課題を解決するための手段】
【０００９】
本発明の一態様によれば、この目的は、緩衝要素と保護要素とを備えるシューズ用のソ
ール、特にスポーツシューズ用のソールによって少なくとも一部解決される。ここで、ソ
ールは、第１の部分領域と第２の部分領域とを備え、緩衝要素は、第１の部分領域におい
て第２の部分領域よりも高い剛性を有し、ソールで地面に着地したとき、保護要素は、第
１の部分領域において第２の部分領域よりも地面との大きな接触面積を備える。
【００１０】
歩行周期の様々な段階は、シューズのソール、ならびに着用者の足および筋骨格系に対
する様々な負荷によって特徴付けられる。例えば、足の衝突中、大きな衝突力が作用する
ことがあり、この衝突力は、筋骨格系の過労、したがって怪我を防止するために、ソール
によって緩衝および減衰されるべきである。他方、踏み切り中、ダイナミックな踏み切り
を容易にするために、着用者が費やした力をできるだけ直接地面に伝達することができる
ようにするという趣旨で、足がサポートされるべきである。このために、ソールは、踏み
切りが主に生じるソール領域では「柔らか」すぎるべきでなく、地面に対する良好なグリ
ップ性を保証し、かつまた着用者の足を十分に安定させるべきである。
【００１１】
これらの要件は、歩行周期の最後で踏み切りが主に行われるソールの領域に、より高い
剛性およびより大きい地面との接触面積を有する第１の部分領域を配置することによって
、本発明によるソールによって満たすことができ、それによりダイナミックな踏み切りを
容易にする。例えば、地面との接触の改良、およびより大きな地面との接触面積による安
定性を得るために、第１の部分領域は、ソールの中央側に延びることができる。
【００１２】
他方、より小さい剛性を有する第２の部分領域は、衝突中に足が主に地面に接触するソ
ールの領域内に配置することができ、それにより、減少された剛性により、衝突力を少な
くとも一部吸収または緩衝することができる。例えば、第２の部分領域は、地面との足の
衝突時の接触が生じることがあるソールの側方側に延びることができる。
【００１３】
シューズの所期の主な用途に従って、第１および第２の部分領域、ならびに場合によっ
てはさらなる部分領域を異なる様式で配置することもできることにさらに言及しておく。
したがって、部分領域の適切な配置によって、シューズおよびそのソールの特性は、例え
ばスポーツ特有の力や、そのようなスポーツ活動の実施中に典型的に生じる歩行特性など
に適合させることができる。
【００１４】
これに関して、歩行周期の様々な段階で、保護要素は、様々な領域で地面に接触するこ
とができ、一方、他の領域は、所与の段階で地面に接触せず、地面と接触する保護要素の
領域が、歩行周期中に「ソールに沿って移動」することができることに留意すべきである
。したがって、ソールによる地面への着地時に第１の部分領域において第２の部分領域よ
りも大きい地面との接触面積を有する保護要素について言及するとき、完全な歩行周期中
に、ソールがそれぞれ第１および第２の部分領域で地面に接触する総計の全接触面積を示
唆することがある。あるいは、歩行周期中の特定の時点で、例えば、地面との衝突の時点
で、または足による踏み切りの時点で、ソールがそれぞれ第１および第２の部分領域で地
面に接触する接触面積を示唆することができる。
【００１５】
ソールが３つ以上の部分領域を備えることもあることに再度言及しておく。それらの領
域の間で、緩衝要素保護の剛性および保護要素の接触面積が異なり、それにより、ソール
の特性のさらに正確な制御が可能になり得る。ソールは、例えば３つのそのような部分領
域または４つのそのような部分領域などを備える。
【００１６】
以下では、本発明によるソールのさらなる設計可能性および任意選択の特徴を述べる。
それらは、ソールの特性に対する影響に関して、それぞれの望みの効果を実現するために
、望みに応じて当業者が組み合わせることができる。
【００１７】
例えば、保護要素は、緩衝要素の下に、緩衝要素に直接、配置されうる。
【００１８】
他方、これは、コンパクトであり、構造的に複雑でないソールの提供を可能にする。さ
らに、保護要素を緩衝要素に直に配置することによって、緩衝要素と保護要素との特に有
益な相互作用を実現することができ、それにより、ソールの異なる部分領域の特性に対す
る上述の望ましい影響を特に効果的に及ぼすことができる。
【００１９】
特に、緩衝要素がミッドソールまたはミッドソールの一部として提供されることが想定
可能である。また、保護要素は、アウトソールまたはアウトソールの一部として提供する
ことができる。
【００２０】
特にスポーツシューズの場合には、とにかく、ソールの構成に関して通常はミッドソー
ルとアウトソールが設計されるので、そのような実施形態は、ソールの追加の構成要素な
しでの実施を可能にすることができる。特に、緩衝要素がミッドソールを形成し、一方で
保護要素がアウトソールを形成することが可能である。この場合、さらに、アウトソール
がミッドソールの下に直に配置される場合には、特に単純であり、コンパクトであり、安
価に製造されるソール構成が得られることがある。
【００２１】
しかし、原理的には、ミッドソールおよび／またはアウトソールがさらなる構成要素ま
たは要素を備えることも可能である。例えば、ミッドソールは、ソールの縁部にあるフレ
ームまたは同様の要素を備えることができる。
【００２２】
緩衝要素は、第１の部分領域において第２の部分領域よりも大きい密度を有することが
さらに可能である。
【００２３】
第１の部分領域での緩衝要素のより大きな密度は、第１の部分領域でのより大きな剛性
を自動的にもたらし、同時に、例えばモールドのそれぞれの部分において製造に使用され
るモールドの充填高さ、または製造に使用されるベース材料の適切な変更によって、第１
および第２の部分領域それぞれでの緩衝要素の密度を製造中に特に簡単な様式で制御する
ことができるという利点を有する。
【００２４】
特に、緩衝要素が、１つの一体部片として提供されることが想定可能である。
【００２５】
しかし、緩衝要素が２つの（またはそれよりも多くの）個別の部分要素を備えることも
想定可能であり、ここで、第１の部分要素は、ソールの第１の部分領域内に主に配置され
、第２の部分要素は、ソールの第２の部分領域内に少なくとも主に配置される。
【００２６】
これは、緩衝要素の製造を容易にすることができ、また、一体に製造することができな
いことがある、または非常に大きい製造労力を用いないと製造することができないことが
ある緩衝要素の提供を可能にする。第１の部分要素が、ソールの第１の部分領域内に「少
なくとも主に」配置されるというとき、これは、例えば、第１の部分要素が（例えばソー
ル内部で第１の部分要素によって占有される面積全体に対して）５０％超、８０％超、ま
たは９０％超にわたって第１の部分領域内に配置されているが、いくらかのパーセンテー
ジは、例えば第２の部分領域またはソールの別の（部分）領域内に延びていてもよいこと
を意味する。同様のことが第２の部分領域にも当てはまる。
【００２７】
ここでは、第１の部分要素と第２の部分要素は、追加の手段、例えば接着、溶接、融合
、または何らかの他の接続手段によって、例えば第１の部分要素と第２の部分要素が互い
に接する領域内で互いに接続されることが可能である。あるいは、第１の部分要素と第２
の部分要素は、一体結合部を有さず、保護要素／アウトソール、および場合によってはソ
ールのさらなる部分、例えばインソールによって互いに対して位置を固定される。
【００２８】
特に、緩衝要素が、発泡材、特に発泡熱可塑性ポリウレタン（ｅＴＰＵ）または発泡ポ
リマーエーテル−ブロック−アミド（ｅＰＥＢＡ）のランダム配向粒子を備えることが可
能である。
【００２９】
例えば表面で一体に融合されることがある発泡材のランダム配向粒子、特にｅＴＰＵお
よび／またはｅＰＥＢＡのランダム配向粒子から形成された緩衝要素は、特に、歩行サイ
クル中にソールの変形に費やされるエネルギーの、着用者の足への特に高いエネルギーリ
ターンによって特徴付けられ、したがって例えば着用者のパフォーマンスおよび持久力を
サポートすることができる。
【００３０】
さらに、緩衝要素は、補強要素を備えることがある。
【００３１】
そのような補強要素は、ソールの特性に局所的に影響を及ぼす、特に個々の領域で追加
の安定性をソールに提供する目的をさらに果たすことができる。これに関して、着地およ
びさらなるそのような動作中の足の過回内を防止するために、特に足の土踏まずの領域、
特に足の土踏まずの中央側にある補強要素が想定可能である。そのような補強要素は、プ
ラスチック材料、箔状材料、テキスタイル材料、層状構成で上記の材料から構成された材
料などを含むことができる。
【００３２】
ここで、補強要素が、ソールの第１の部分領域内およびソールの第２の部分領域内に延
びることが可能である。
【００３３】
このようにして、特に個別に製造される部分要素から形成される緩衝要素の場合に関し
て、結合効果を実現することができ、それにより、ソールは、歩行周期中において連続的
な滑らかな着用感覚を提供し、履き心地の良さを損なうソールの特性の階段的な変化を有
さない。
【００３４】
保護要素は、第１の部分領域において第２の部分領域よりも変形が難しく、特に曲げに
対して堅くてもよい。また、所与のソールに関して望ましい安定性に従って、緩衝要素の
伸張、特にミッドソールの伸張を制限することができる。
【００３５】
このようにして、保護要素は、一般にソールが第１の部分領域でより安定になるように
寄与することができ、それにより、この点で緩衝要素の設計を補完およびサポートするこ
とができる。
【００３６】
保護要素が、複数の開口および／または（例えば、第２の部分領域の残りの部分での保
護要素の厚さに比べて）より薄い材料の領域を第２の部分領域に備えることが可能である
。
【００３７】
そのような開口および／またはより薄い材料の領域の提供は、単純な構成によって、第
２の部分領域での曲げ剛性を減少させることができる。それと同時に、軽量化することが
でき、特にアウトソールとして提供される場合に、保護要素のプロファイリング（ｐｒｏ
ｆｉｌｉｎｇ）を実現することができる。
【００３８】
さらに、保護要素が、複数の開口および／または（例えば、第１の部分領域の残りの部
分での保護要素の厚さに比べて）より薄い材料の領域を第１の部分領域にも備えることが
想定可能である。平均して、第２の部分領域における開口および／またはより薄い材料の
領域は、第１の部分領域における開口および／またはより薄い材料の領域よりも大きい面
積を占めることがある。
【００３９】
分かりやすくするために、以下の論述は、それぞれ第１または第２の部分領域で保護要
素にある開口の場合に焦点を当てる。しかし、適用可能である限り、それぞれ第１または
第２の部分領域でのより薄い材料の領域の場合にも、全ての説明が当てはまる。
【００４０】
第１の部分領域にも開口を提供することによって、例えば、第１の部分領域でも重量の
減少またはプロファイルングが実現されることがあり、ここで、第１の部分領域でのより
高い曲げ剛性は、第１の部分領域での開口が第２の部分領域での開口よりも小さい面積を
平均で占有することによって保証することができる。それぞれ第１の部分領域および第２
の部分領域での開口の平均面積は、例えば、第１の部分領域および第２の部分領域でそれ
ぞれ５個の開口またはそれぞれ１０個の開口など所与の数の開口を選択することによって
決定することができ、それらの開口の平均面積が決定される。または、例えば、第１の部
分領域および第２の部分領域に存在する全ての開口の面積がそれぞれ平均される。
【００４１】
ここで、第１の部分領域での個々の開口が、第２の部分領域での個々の開口よりも大き
い面積を占有することが想定可能である。しかし、第１の部分領域での開口の面積は、平
均で第２の部分領域での開口の面積よりも小さいので、少なくともそれぞれの２つの部分
領域にわたって平均すると、保護要素は、第１の部分領域において、第２の部分領域より
も曲げ難い。
【００４２】
さらに、保護要素は、平坦化された表面を備える複数の第１の突起を第１の部分領域に
備えることができる。
【００４３】
第１の突起の平坦化された表面によって、ソールによる着地時の地面との接触面積は、
平坦化されていない表面を有する突起と比較して増加させることができ、したがって、例
えば第１の部分領域でのソールのグリップ性を高めることができる。同時に、特に保護要
素がアウトソールとして提供される場合に、第１の突起間のギャップによって、ソールの
プロファイリングを実現することができ、それにより、例えば濡れた地面でも良好なグリ
ップ性を保証することができる。
【００４４】
さらに、保護要素は、第２の部分領域に複数の第２の突起を備え、突起は、ソールが地
面に着地したときに、緩衝要素に少なくとも部分的に貫入する。
【００４５】
このために、第２の突起は、例えば（概して）円錐形状またはピラミッド形状などで提
供することができ、したがって、地面でのソールの良好な固定を可能にすることができる
。既述のように、ソールの第２の部分領域は、例えば足の衝突が主に生じるソールの領域
に配置され、それにより、第２の突起の形状、および緩衝要素への少なくとも部分的な貫
入によって、着用者の足が衝突中に地面にしっかりと着地され、したがってスリップおよ
びその結果生じる怪我を防止することができる。さらに、第２の部分領域での緩衝要素の
材料への第２の突起の貫入はまた、緩衝要素のせん断性に局所的に影響を及ぼす目的を果
たすこともできる。なぜなら、緩衝要素の材料は、第２の突起が緩衝要素の材料に貫入す
る場所でより強く圧迫され、したがって例えばせん断力に対してより耐性を有するからで
ある。
【００４６】
本発明によるソールでは、第１の部分領域は、特にソールの中央側に延びることができ
る。さらに、第２の部分領域は、ソールの側方側に延びることができる。
【００４７】
ほとんどの人において、典型的な歩行周期中の足の衝突は踵の側方領域で生じ、地面と
の足の接触領域は、歩行周期中に中足部領域を横切って前足部の中央領域に移動し、そこ
で足の踏み切りが行われる。したがって、ソールの中央側に第１の部分領域を配置するこ
とによって、上で説明したようにダイナミックな踏み切りを容易にすることができ、その
一方で、側方側に第２の部分領域を配置することで、側方踵領域での衝突中に衝突力を少
なくとも一部吸収または緩和することができる。
【００４８】
しかし、第１および第２の部分領域、ならびに場合によってはさらなる部分領域の他の
配置も想定可能である。例えば、第１の部分領域がソールの前足部領域を構成し、一方で
第２の部分領域がソールの踵領域を構成することもできる。一般に、中央側または側方側
それぞれでの、およびソールの前足部領域内ならびに中足部領域および／または踵領域内
での様々な配置も想定可能である。
【００４９】
本発明のさらなる態様は、本発明によるソールを備えるシューズ、特にスポーツシュー
ズによって与えられる。これに関して、本発明の範囲内で、そのような本発明によるソー
ルの上述した設計オプションおよび任意選択の特徴を任意に組み合わせることが可能であ
り、また、それぞれのシューズまたはそれぞれのソールに関して、なくすことができると
考えられる場合には特定の態様を省くことも想定可能である。
【００５０】
本発明の現在好ましい実施形態を、以下の図面を参照して以下の詳細な説明で述べる。
【図面の簡単な説明】
【００５１】
【図１ａ】本発明によるシューズソールの実施形態を示す図である。
【図１ｂ】本発明によるシューズソールの実施形態を示す図である。
【図１ｃ】本発明によるシューズソールの実施形態を示す図である。
【図２】緩衝要素の構成が異なる、図１ａ〜ｃに示される実施形態の変形形態を示す図である。
【発明を実施するための形態】
【００５２】
本発明の現在好ましい実施形態を、スポーツシューズ、特にランニングシューズ用のシ
ューズソールを参照して、以下に詳細に述べる。しかし、本発明がこれに限定されないこ
とを強調しておく。むしろ、本発明は、有利には、他の種類のシューズ用のソール、特に
例えばハイキングシューズ、レジャーシューズ、ストリートシューズ、バスケットボール
シューズ用のソールでも採用することができる。
【００５３】
以下では、本発明の個々の実施形態のみをより詳細に説明することができることに言及
しておく。しかし、当業者は、これらの特定の実施形態に関して述べる特徴および設計オ
プションを、本発明の範囲内で異なる形に修正または複合することもでき、所与の場合に
なくすことができると思われる場合には個々の特徴を省くこともできることを理解されよ
う。冗長にならないように、前述の「発明の概要」における説明を特に参照されたい。そ
れが、以下の詳細な説明にも当てはまる。
【００５４】
図１ａ〜ｃは、本発明によるシューズソール１００の一実施形態を示す。ソール１００
は、特に、スポーツシューズ、例えばランニングシューズで採用することができる。ここ
で示されるソール１００は、着用者の左足用に意図されている。
【００５５】
ソール１００は、緩衝要素１１０を備え、緩衝要素１１０は、この例ではミッドソール
１１０として提供される。さらに、ソール１００は、保護要素１２０を備え、保護要素１
２０は、この例ではアウトソール１２０として提供される。一般に、緩衝要素１１０がミ
ッドソールの一部のみを構成し、および／または保護要素１２０がアウトソールの一部の
みを構成することも想定可能である。緩衝要素１１０がミッドソール１１０全体を構成し
、保護要素１２０がアウトソール１２０全体を構成するここで示される例は、特にコンパ
クトであり、容易に製造されるソール１００の提供を可能にする。ここでは、アウトソー
ル１２０は、ミッドソール１１０の下方に直に配置され、それにより、ソール１００の両
方の要素１１０と１２０が、ソールの特性の所望の制御に対するそれらそれぞれの寄与の
面で、有益には互いに補い合う。
【００５６】
この所望の制御を実現するために、ソール１００は、第１の部分領域１０５と、第２の
部分領域１０８とを備える。ここで示されるソール１００に関して、例えば図１ａから分
かるように、第１の部分領域１０５は、ソール１００の中央部分に延び、第２の部分領域
１０８は、ソール１００の側方部分に延びる。
【００５７】
しかし、既述のように、本発明によるソールの異なる実施形態（図示せず）では、一方
では、３つ以上の部分領域が存在すること、他方では、部分領域が異なる様式で配置され
ることも想定可能である。
【００５８】
ソール１００の中央側での第１の部分領域１０５において、ミッドソール１１０は、ソ
ール１００の側方側での第２の部分領域１０８よりも大きい剛性を有する。ここで示され
る例では、ミッドソール１１０は、１つの一体部片として提供される。ソール１００の第
１の部分領域１０５と第２の部分領域１０８でのミッドソール１１０の異なる剛性は、ソ
ール１００の第１の部分領域１０５と第２の部分領域１０８でのミッドソール１１０の異
なる密度によって実現され、および／または、例えば、それぞれの部分領域の製造に使用
されるベース材料の対応する選択などによって異なる剛性を調節することができる。特に
、ミッドソール１１０は、第１の部分領域１０５において第２の部分領域１０８よりも大
きい密度を有することができる。
【００５９】
ミッドソール１１０は、特に、発泡熱可塑性ポリウレタン（ｅＴＰＵ）のランダム配向
粒子から一体製造することができ、粒子は、それらの表面で融合される。しかし、例えば
発泡ポリアミド（ｅＰＡ）および／または発泡ポリエーテル−ブロック−アミド（ｅＰＥ
ＢＡ）のランダム配向粒子（それらの表面で融合される）も想定可能である。さらに、例
えば、ミッドソール１１０の製造に使用されるモールドの充填高さを調節することによっ
て、粒子に伝達される熱の量、モールド内の粒子に及ぼされる圧力の量、またはそれぞれ
第１の部分領域１０５および第２の部分領域１０８に対応するモールドの異なる部分での
粒子処理の持続時間、第１の部分領域１０５および第２の部分領域１０８での製造後のミ
ッドソール１１０の剛性を制御することができる。
【００６０】
さらに、ミッドソール１１０は、補強要素１３０を備える。この例では、補強要素１３
０は、足の土踏まずの領域でのソール１００の安定性を提供する。補強要素１３０は、ソ
ール１００の第１の部分領域１０５内およびソール１００の第２の部分領域１０８内に延
びる。補強要素１３０は、プラスチック材料、テキスタイル材料、箔状材料などを備える
ことがあり、さらに、電子構成要素などを受け取るためのキャビティを備えることもある
。
【００６１】
ソール１００による地面への着地時、アウトソール１２０は、ソール１００の中央側で
の第１の部分領域１０５において、ソール１００の側方側での第２の部分領域１０８より
も大きい地面との接触面積を有する。この例では、これは、アウトソール１２０が、ソー
ル１００の第１の部分領域１０５に、平坦化された表面を有する複数の第１の突起１４５
を備えることによって実現される。対照的に、例えば図１ｂで特に明瞭に見ることができ
るように、ソール１００の第２の部分領域１０８で、アウトソール１２０は、複数の第２
の突起１４８を備え、突起１４８は、地面とのより小さい接触面積を提供する。突起によ
って提供される地面との接触面積に関する第１の突起１４５および第２の突起１４８の設
計は、ソール１００の長手方向軸に沿って本質的に変化しないので、歩行周期中の少なく
ともほとんどの時間中、ソールは、第１の部分領域１０５において、第２の部分領域１０
８よりも大きい地面との接触面積を有する。いずれにせよ、歩行周期全体にわたって合計
される地面とのソール１００の接触面積は、第１の部分領域１０５において、第２の部分
領域１０８よりも大きい。
【００６２】
例えば図１ａおよび図１ｂで明瞭に見ることができるように、ここに示されるソール１
００において、第１の突起１４５および第２の突起１４８によってそれぞれ提供される地
面との接触面積は、ソール１００の中央側からソール１００の側方側への方向で連続的に
減少し、したがって、歩行周期中のソールの特性の特に穏やかな移行を行うことができる
ことにさらに留意されたい。
【００６３】
ソール１００の第２の部分領域１０８でのミッドソール１１０のより低い剛性に関連し
て、第２の突起１４８の「尖った」設計は、ソール１００による地面への着地時に、第２
の突起１４８がミッドソール１１０の材料内に少なくとも一部貫入するというさらなる効
果を有することができる。これは、例えば側方踵領域での衝突時に、地面でのソール１０
０の特に良好な着地をもたらすことができ、それにより、地面での衝突時の高い衝突力の
下で足がスリップするのを防止することができる。
【００６４】
さらに、第２の部分領域１０８でのミッドソール１１０の材料内への第２の突起１４８
の貫入はまた、ミッドソール１１０のせん断能力に局所的に影響を及ぼす目的も果たすこ
とができる。なぜなら、第２の突起１４８がミッドソール１１０の材料に貫入する領域に
おいて、ミッドソール１１０の材料は、より強く圧縮され、したがって、例えば、せん断
に対するより高い耐性を有するからである。
【００６５】
既に数度述べたようにソール１００の２つの部分領域１０５および１０８でのミッドソ
ール１１０とアウトソール１２０との相互作用をさらに容易にするために、第１の部分領
域１０５において、第２の部分領域１０８よりも変形し難く、特に曲げ難いようにアウト
ソール１２０を提供することができる。アウトソール１２０は、さらに、ミッドソール１
１０内部での伸張またはせん断運動を選択的に制御または制限することができる。この例
では、これは、アウトソール１２０が、第１の部分領域１０５内に複数の開口１２５を備
え、第２の部分領域１０８内に複数の開口１２８を備えることによって実現される。ここ
で、図１ａ〜ｃで明瞭に見られるように、第２の部分領域１０８内の開口１２８は、平均
で、第１の部分領域１０５内の開口１２５よりも大きい面積を占める。第１の部分領域１
０５での開口１２５は、例えば、省くこともできる。さらに、アウトソール１２０が、開
口１２５または１２８ではなく、（例えば、残りの区域、特により薄い材料の領域を取り
囲む区域でのアウトソール１２０の厚さに比べて）より薄い材料をそこに設けられること
も想定可能である。
【００６６】
図２は、本発明によるソール２００の別の実施形態を示し、これは、図１ａ〜ｃに示さ
れるソール１００の修正形態である。より正確には、ソール２００は、そのミッドソール
２１０の構成がソール１００とは異なる。ソール２００の残りの要素および特徴に関して
は、ソール１００に関して記載した記述および説明が同等に当てはまり、したがって、簡
明にするために改めては論じない。
【００６７】
図２から分かるように、ソール２００に関して、そのミッドソール２１０は、２つの個
別の部分要素２１５および２１８を備え、ここで、例えば図１ａとの比較から明らかにな
るように、第１の部分要素２１５は、ソール２００の第１の部分領域１０５内に主に配置
され、第２の部分要素２１８は、ソール２００の第２の部分領域１０８内に主に配置され
る（ここでも、ソール２００の第１の部分領域および第２の部分領域は、ソール１００の
第１の部分領域１０５および第２の部分領域１０８と同じであり、したがって、同じ参照
番号で表す）。２つの部分要素２１５と２１８の異なる剛性、したがって第１の部分領域
１０５と第２の部分領域１０８でのミッドソール２１０の異なる剛性は、第１の部分要素
２１５が第２の部分要素２１８よりも大きい密度を備えることによって実現される。どち
らの部分要素２１５および２１８も、表面で融合されたｅＴＰＵのランダム配向粒子から
製造される。しかし、例えば、表面で融合されたｅＰＡおよび／またはｅＰＥＢＡのラン
ダム配向粒子も想定可能である。
【００６８】
２つの個別の部分要素２１５と２１８は、互いに一体に結合されないこともある。そう
ではなく、２つの部分要素２１５および２１８は、ソール２００の組立て状態で、アウト
ソール１２０によって互いに対してそれらの位置を固定されることがある。しかし、２つ
の部分要素２１５と２１８が互いに一体に結合、例えば接着、溶接、または融合されて、
ソール２００の安定性および耐久性を改良することも想定可能である。
【００６９】
また、ミッドソール２１０は、補強要素２３０を備える。補強要素２３０は、足の土踏
まずの領域でのソール２００の安定性を提供することができ、さらに、第１の部分要素２
１５と第２の部分要素２１８をある程度は一体に結合する働きをすることができる。この
ために、補強要素２３０は、第１の部分要素２１５内、したがってソール２００の第１の
部分領域１０５内と、第２の部分要素２１８内、したがってソール２００の第２の部分領
域１０８内との両方に延びる。
【符号の説明】
【００７０】
１００  ソール
１０５  第１の部分領域
１０８  第２の部分領域
１１０  緩衝要素
１２０  保護要素
１２５  開口
１２８  開口
１３０  補強要素
２００  ソール
２１０  緩衝要素
２３０  補強要素
【図１ａ】
2019115823.tif 000003
【図１ｂ】
2019115823.tif 000004
【図１ｃ】
2019115823.tif 000005
【図２】
2019115823.tif 000006
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
シューズ用のソールであって、
緩衝要素と、
保護要素とを備え、
ソールが、第１の部分領域と、第２の部分領域とを備え、
前記緩衝要素が、前記第１の部分領域において前記第２の部分領域よりも高い剛性を有し、
前記保護要素が、前記第１の部分領域に、平坦化された表面を備える複数の第１の突起を備え、
前記保護要素が、前記第２の部分領域に複数の第２の突起を備え、
前記第１の突起と地面との接触面積は、前記第２の突起と地面との接触面積よりも大きいソール。
【請求項２】
前記保護要素が、前記緩衝要素の下に、かつ前記緩衝要素に直接、配置される、請求項１に記載のソール。
【請求項３】
前記緩衝要素が、ミッドソールとして、またはミッドソールの一部として提供される、請求項１または２に記載のソール。
【請求項４】
前記保護要素が、アウトソールとして、またはアウトソールの一部として提供される、請求項１から３のいずれか一項に記載のソール。
【請求項５】
前記緩衝要素が、前記第１の部分領域において前記第２の部分領域よりも大きい密度を有する、請求項１から４のいずれか一項に記載のソール。
【請求項６】
前記緩衝要素が、発泡材のランダム配向粒子を備える、請求項１から５のいずれか一項に記載のソール。
【請求項７】
前記緩衝要素が、さらに補強要素を備える、請求項１から６のいずれか一項に記載のソール。
【請求項８】
前記補強要素が、前記ソールの前記第１の部分領域内と、前記ソールの前記第２の部分領域内との両方に延びる、請求項７に記載のソール。
【請求項９】
前記保護要素が、前記第１の部分領域において前記第２の部分領域よりも変形し難い、請求項１から８のいずれか一項に記載のソール。
【請求項１０】
前記保護要素が、複数の開口および／またはより薄い材料の領域を前記第２の部分領域に備える、請求項１から９のいずれか一項に記載のソール。
【請求項１１】
前記保護要素が、複数の開口および／またはより薄い材料の領域を前記第１の部分領域にも備え、平均して、前記第２の部分領域における前記開口および／またはより薄い材料の領域が、前記第１の部分領域における前記開口および／またはより薄い材料の領域よりも大きい面積を占める、請求項１０に記載のソール。
【請求項１２】
前記第１の突起と地面との接触面積と、前記第２の突起と地面との接触面積とは、前記ソールの中央側から側方側へ減少する、請求項１から１１のいずれか一項に記載のソール。
【請求項１３】
前記第２の突起が、前記ソールで地面に着地したときに、前記緩衝要素に少なくとも部分的に貫入する、請求項１から１２のいずれか一項に記載のソール。
【請求項１４】
前記第１の部分領域が、前記ソールの中央側に延びる、請求項１から１３のいずれか一項に記載のソール。
【請求項１５】
前記第２の部分領域が、前記ソールの側方側に延びる、請求項１から１４のいずれか一項に記載のソール。
【請求項１６】
請求項１から１５のいずれか一項に記載のソールを備える、シューズ。